(57)【要約】【課題】  従来の洗濯機の常識に捕らわれずに、環境に優しく、省エネタイプの衣類浄化装置を提供する。【解決手段】  衣類１を収容する収容部２と、除菌、脱臭、汚れ分解作用のうち、少なくとも１つの作用を有するミストｍを生成し、収容部２内の衣類１に噴霧するミスト発生装置８とを備えた。【選択図】        図１
2005198859.tif 000002
【特許請求の範囲】
【請求項１】
衣類を収容する収容部と、除菌、脱臭、汚れ分解作用のうち、少なくとも１つの作用を有するミストを生成し、前記収容部内の衣類に噴霧するミスト発生装置とを備えたことを特徴とする衣類浄化装置。
【請求項２】
前記ミスト発生装置は、除菌、脱臭、汚れ分解作用のうち、少なくとも１つの作用を有する液体を微細化してミストにする微細化手段を有することを特徴とする請求項１記載の衣類浄化装置。
【請求項３】
前記ミスト発生装置は、水を静電噴霧方式で微細化してラジカルを含むミストにする微細化手段を有することを特徴とする請求項１記載の衣類浄化装置。
【請求項４】
前記ミスト発生装置は、数μｍ〜数ｎｍの大きさのミストを発生することを特徴とする請求項１ないし請求項３のいずれかに記載の衣類浄化装置。
【請求項５】
前記ミスト発生装置は、必要な作用の大きさに応じてミストの噴霧時間を変えることができることを特徴とする請求項１ないし請求項４のいずれかに記載の衣類浄化装置。
【請求項６】
衣類を吊り下げた状態で前記収容部内に保持する保持手段を有することを特徴とする請求項１ないし請求項５のいずれかに記載の衣類浄化装置。
【請求項７】
衣類の上方にミストの噴霧口を設けたことを特徴とする請求項６記載の衣類浄化装置。
【請求項８】
衣類の下方にミストの噴霧口を設けたことを特徴とする請求項６又は請求項７記載の衣類浄化装置。
【請求項９】
前記保持手段は、横方向に延びるパイプと、このパイプに取り付けれて衣類がかけられるハンガーとで構成され、前記パイプにミストの噴霧口を設けたことを特徴とする請求項７記載の衣類浄化装置。
【発明の詳細な説明】
【技術分野】
【０００１】
本願発明は、大量の水と洗剤を用いる洗濯機の課題を解消する衣類浄化装置に関するものである。
【背景技術】
【０００２】
従来、洗濯機における洗浄では、水と洗剤を使って衣類等の汚れを落とすと共に、除菌や脱臭が行われていた（例えば下記特許文献１，特許文献２参照）
【特許文献１】特開平７−８８２７７号公（図１，図２）
【特許文献２】特開２００１−８７５９０号公報（図１，図１０）
【発明の開示】
【発明が解決しようとする課題】
【０００３】
しかしながら、従来の洗濯機では大量の水を必要とし、洗剤の界面活性剤等で環境に対して多くの負荷を加えている。また、洗浄液で洗浄した後、すすぐ、乾かすという工程に多量の水、エネルギー、時間を必要とした。
【０００４】
そこで、本願発明はこのような課題を解決するためになされたものであり、従来の洗濯機の常識に捕らわれずに、環境に優しく、省エネタイプの衣類浄化装置を提供することを目的とするものである。
【課題を解決するための手段】
【０００５】
上記のような目的を達成するために、本願発明は、衣類を収容する収容部と、除菌、脱臭、汚れ分解作用のうち、少なくとも１つの作用を有するミストを生成し、前記収容部内の衣類に噴霧するミスト発生装置とを備えたことを特徴とするものである。
【０００６】
また、前記ミスト発生装置は、除菌、脱臭、汚れ分解作用のうち、少なくとも１つの作用を有する液体を微細化してミストにする微細化手段を有することを特徴とするものである。
【０００７】
また、前記ミスト発生装置は、水を静電噴霧方式で微細化してラジカル（遊離基，すなわち不対電子をもつ原子団または原子のことで、化学反応性が大きい）を含むミストにする微細化手段を有することを特徴とするものである。
【０００８】
また、前記ミスト発生装置は、数μｍ〜数ｎｍの大きさのミストを発生することを特徴とするものである。
【０００９】
さらに、前記ミスト発生装置は、必要な作用の大きさに応じてミストの噴霧時間を変えることができることを特徴とするものである。
【００１０】
また、衣類を吊り下げた状態で前記収容部内に保持する保持手段を有することを特徴とするものである。
【００１１】
そして、衣類の上方にミストの噴霧口を設けたことを特徴とするものである。
【００１２】
また、衣類の下方にミストの噴霧口を設けたことを特徴とするものである。
【００１３】
また、前記保持手段は、横方向に延びるパイプと、このパイプに取り付けれて衣類がかけられるハンガーとで構成され、前記パイプにミストの噴霧口を設けたことを特徴とするものである。
【発明の効果】
【００１４】
本願発明によれば、除菌、脱臭、汚れ分解作用のうち、少なくとも１つの作用を有するミストを生成し、収容部内の衣類に噴霧することにより、一般の水を使って洗濯して汚れ除去、除菌、脱臭を行う洗濯機に比べ、水の大幅な節約ができ、洗剤の界面活性剤等で環境に対して負荷を加えることもなく、かつ乾燥にかける時間も少なくて済み、エネルギーの消費を抑えることができる。
【００１５】
また、除菌、脱臭、汚れ分解作用のうち、少なくとも１つの作用を有する液体を微細化してミストにすることにより、ミストが微細な液滴であるために衣類の繊維の中にまで浸透することができ、効率的に除菌、脱臭、汚れの分解ができると共に、微細液滴であるためミスト濃度を著しく高めたりしなければ衣類をほとんど濡らすこともないので、衣類を温風により乾燥する必要がなく、乾燥時間とエネルギーを削減することができる。
【００１６】
また、水を静電噴霧方式で微細化してラジカルを含むミストにすることにより、除菌、脱臭、汚れ分解作用を有するラジカルを容易に手に入る水道水等から作ることによって一般家庭での使用を容易にする。
【００１７】
また、数μｍ〜数ｎｍの大きさのミストを発生することにより、大きさを数μｍ〜数ｎｍの微細液滴に限定することで乾燥時間の短縮化または乾燥の必要をなくすことができる。また、このような大きさの微細液滴とすることで、布などの内部まで容易に浸透することができる。
【００１８】
さらに、必要な作用の大きさに応じてミストの噴霧時間を変えることにより、用途に合わせて最適な効果を実現することができる。
【００１９】
また、衣類を吊り下げた状態で収容部内に保持することにより、衣類全体にミストを噴霧することができる。
【００２０】
そして、衣類の上方にミストの噴霧口を設けて、ミストを上から噴霧することによって重力に逆らわずにミストを衣類全体に噴霧しやすくなる。
【００２１】
また、衣類の下方にミストの噴霧口を設けて、ミストを下から噴霧することによって背広などの内側に噴霧しやすくなる。
【００２２】
また、前記保持手段は、横方向に延びるパイプと、このパイプに取り付けれて衣類がかけられるハンガーとで構成され、前記パイプにミストの噴霧口を設けることにより、部品点数を減らし、構造の簡易化が図れる。また、衣類をハンガーにかけて吊すことにより衣類全体にむら無くミストを噴霧することができる。
【発明を実施するための最良の形態】
【００２３】
以下、本願発明の実施形態を図面を参照して詳細に説明する。
【００２４】
図１は、本願発明による衣類浄化装置の一実施形態を示す概略構成図であり、ミストを用いて衣類の除菌、脱臭、汚れ分解を行う構成を示している。
【００２５】
衣類１を収納する収容部２は、大きなハンガー部３により家の柱等に吊り下げる構造になっていて、一定の気密性を持った布等で外部と収容部２内を隔離している。このように、収容部２を閉空間とすることによって必要以上のミストを生成することなく、ミストｍの飛散を防ぎ、ミストｍを有効利用できる。この収容部２内の上部には、出来るだけ多くの衣類を吊すため横方向に延びる吊り棒４が設けてあって、衣類全体がミストｍにむら無く当たりやすくするためハンガー５等で吊せるようになっている。ここで、上記吊り棒４とハンガー５により本願発明における保持手段が構成されている。
【００２６】
ミスト生成器６は、除菌、脱臭、汚れ分解作用を有する液体，例えば次亜塩素酸の水溶液を数μｍ〜数ｎｍの微細微粒子にミスト化し、ミスト用ダクト７を用いて収容部２内に白抜き矢印で示すように噴霧し、収容部２内に充満したミストｍにより衣類１の除菌や脱臭、有機物等の汚れの分解を行うように構成されている。ここで、上記ミスト生成器６とミスト用ダクト７により本願発明におけるミスト発生装置８が構成され、これとハンガー部３で吊り下げられた収容部２とで本願発明による衣類浄化装置９が構成されている。
【００２７】
上記の場合、ミスト粒子が非常に微細な液滴であるために衣類１の繊維の中にまで容易に浸透することができ、効率的に除菌、脱臭、汚れの分解ができると共に、微細液滴であるためミスト濃度を著しく高めたりしなければ衣類１をほとんど濡らすこともないので、衣類１を温風により乾燥する必要がなく、乾燥時間とエネルギーを削減することができる。ただし、汚れのひどい場合などはミスト噴霧時間を長く取り濃度を高めたり、粒径を大きくして衣類１が噴霧液で十分に濡れるまで噴霧して効果を高める。この場合、通常の洗濯物と同様に乾燥させる工程が必要となるが、噴霧後すぐに乾燥工程に入るのではなく一定時間放置した後、乾燥工程に入る方が、次亜塩素酸と汚れ等の反応時間が十分に持てるので、より効果を高めることができる。
【００２８】
図２は、ミスト生成器６に設けられたミスト設定部６ａの構成図であり、「強」，「中」，「弱」の３つのボタン６ｂ〜６ｄと、各ボタン６ｂ〜６ｄに対応して設けられて設定状態を示すＬＥＤ等から成るランプ６ｅ〜６ｇが設けられている。例えば、衣類１の汚れがひどい場合には、「強」ボタン６ｂを押すとその上のランプ６ｅが点灯し、図３に示すようにミストの噴霧時間を１５分と長くなるように調整する。また、衣類１の汚れが普通の場合には、「中」ボタン６ｃを押すとその上のランプ６ｆが点灯し、図３に示すようにミストの噴霧時間を１０分と普通に調整する。また、衣類１の汚れが軽い場合には、「弱」ボタン６ｄを押すとその上のランプ６ｇが点灯し、図３に示すようにミストの噴霧時間を５分と短くなるように調整するようになっている。
【００２９】
上記ミストとしては、次亜塩素酸を例に挙げたが、次亜塩素酸以外にラジカルやオゾンなどの酸化作用を有する成分を含んだものや、銀などの金属イオンを含有するものでもよい。ただし、この場合は、選んだミストによって除菌、脱臭、汚れの分解のすべての効果を得られなくなる場合も出てくるが、３つの効果のうち必要とされる効果に合わせてミスト化する液体を選べばよい。また、酸化作用のあるミストを噴霧する場合は、ミスト生成器６、ミスト用ダクト７、噴霧口７ａなど濃度の高いミストと触れる部分には酸化に強い樹脂、またはチタン製金属などの耐食性を有する金属部品を使用するのが好ましい。
【００３０】
以上のように、本実施形態によれば、一般の水を使って洗濯して汚れ除去、除菌、脱臭を行う洗濯機に比べ、水の大幅な節約ができ、洗剤の界面活性剤等で環境に対して負荷を加えることもなく、かつ乾燥にかける時間も少なくて済み、エネルギーの消費を抑えることができる。すなわち、水やエネルギーの消費を抑えると共に、環境に優しい衣類浄化装置を実現できる。
【００３１】
また、ミスト生成器６でミスト化する液として、塩素化合物や銀などの金属イオンを含有し、除菌、漂白、脱臭作用の成分を有する液をミスト化したり、ミスト化したミストにラジカル、次亜塩素酸、オゾンなどの酸化作用を有する成分を含んでいる場合、衣類の繊維の中まで浸透しやすくして効果を上げることができる。また、液に浸漬するのではないので、液が少なくて済む。さらに、液がすすぐ必要のない場合は乾かす時間を必要としないか、必要としても少なくて済む。
【００３２】
また、衣類の種類、除菌、脱臭、汚れの分解などの用途に合わせて、ミストを噴霧する時間を可変にしたり、ミストの大きさを可変にすることにより、用途に合わせて最適な効果を実現することができる。
【００３３】
図４は、本願発明による衣類浄化装置の他の実施形態を示す概略構成図であり、前記実施形態と同一又は相当部分には同一符号を用いている。
【００３４】
この実施形態では、衣類浄化装置９の筐体１０をタンスやクローゼットの形状とすると共に、衣類１の収容部２内の後述するミスト噴霧口１３ａ，１４ａを上下に設けた場合を示している。
【００３５】
衣類浄化装置９の筐体１０内には、ミスト生成器６が設置されたミスト生成部１１と衣類１を収容する収容部２が仕切板１２で仕切られており、収容部２内には上下に横方向に延びるパイプ１３，１４が設けられている。ミスト生成器６からミスト用ダクト７を通って上下のパイプ１３，１４にミストが供給され、上下のパイプ１３，１４に形成された上部ミスト噴霧口１３ａと下部ミスト噴霧口１４ａから収容部２内の衣類１にミストｍを噴霧して除菌、脱臭、汚れの分解を行うように構成されている。また、上部ミスト噴霧口１３ａが形成された上パイプ１３は、衣類１を吊す吊り棒の機能を兼ね備えていて、部品点数を減らすと共に衣類１への噴霧効率を上げている。ここでは、上記上パイプ１３とハンガー５により本願発明における保持手段が構成されている。
【００３６】
本実施形態の衣類浄化装置９においても、前記実施形態と同様な作用効果が得られると共に、衣類浄化装置９がタンスやクローゼットと一体化したような構成であるので、衣類１を収納している間に除菌、脱臭、汚れ分解ができて、極めて利便性が向上したものとなる。
【００３７】
また、上部ミスト噴霧口１３ａを設けて、ミストｍを上から噴霧することによって重力に逆らわずにミストｍを衣類全体に噴霧しやすくなる。さらに、下部ミスト噴霧口１４ａを設けて、ミストｍを下から噴霧することによって背広などの内側に噴霧しやすくなる。
【００３８】
また、衣類１を吊すパイプ１３に上部ミスト噴霧口１３ａを設けたことにより、部品点数を減らし、構造の簡易化が図れる。
【００３９】
次に、図５〜図７に示すミスト生成器６の各実施形態について説明する。なお、それぞれで同一又は相当部分には同一符号を用いている。
【００４０】
図５に示すミスト生成器６では、タンク２１内に蓄えられた除菌、脱臭、汚れ分解作用を有するミスト液Ｌをミスト液供給部２２からミスト発生部２３に供給している。本願発明における微細化手段を構成するミスト発生部２３は超音波方式によるもので、振動子により振動エネルギーをミスト液Ｌに与えてミスト化するものである。
【００４１】
ミスト発生部２３から発生したミストｍは、ファン２４によって強制的にミスト供給部２５に誘導され、ミスト供給部２５より図１，図４に示したミスト用ダクト７を通って収容部２に送られる仕組みになっている。
【００４２】
このように、ミスト発生部２３で発生したミストｍはファン２４によって強制的に誘導されて収容部２内の衣類１に噴霧されることにより、ミストｍを効率的に噴霧して除菌、脱臭、汚れ分解等を効率良く行うことができる。また、ダクト７を用いて誘導しやすくなる。
【００４３】
一方、図６に示すミスト生成器６では、タンク２１に蓄えられた水道水Ｗをミスト液供給部２２より導電性細管２６に供給する。この導電性細管２６に高電圧発生部２７よりマイナスの高電圧（約６ｋＶ）をかけ、対向電極２８を図示のようにリング状に設けることによって、毛細管現象により導電性細管２６の上部に浸透したミスト液を高電圧により励起させる静電噴霧方式で電荷を持ったラジカル（ＯＨラジカル）成分を含んだミストｍを発生できる仕組みになっている。ここで、上記導電性細管２６，高電圧発生部２７及び対向電極２８は本願発明における微細化手段を構成している。
【００４４】
発生したミストｍは前記図５と同様にファン２４によって強制的にミスト供給部２５に誘導され、図１，図４に示したミスト用ダクト７を通って収容部２に送られる仕組みになっている。
【００４５】
このように構成しても上記実施形態と同様な作用効果が得られると共に、除菌、脱臭、汚れ分解作用を有するラジカルを容易に手に入る水道水から作ることによって一般家庭での使用を容易にすることができる。
【００４６】
以上、超音波方式と静電噴霧方式のミスト生成器６の実施形態を示したが、一般に超音波方式で生成できるミストｍの粒径は数μｍが限界なのに対して、静電噴霧方式は数ｎｍの粒径まで生成できるので、例えば、濡らしたくない衣類や繊維の目の細か衣類の場合は静電噴霧方式を使用し、少しぐらい濡らしてもよい衣類や繊維の目の粗い衣類などは超音波方式を使用するなど用途に合わせて使い分ければよい。さらに、一台の衣類浄化装置９に超音波方式と静電噴霧方式の両方のミスト発生部を設けておけば、用途に合わせて最適なミストサイズを選ぶことができて、利便性が向上する。
【００４７】
次に図７の実施形態について説明する。図７は、塩素を含む水道水Ｗを電極部３０で電気分解して次亜塩素酸を含む電解水を生成し、生成した次亜塩素酸を超音波方式の微細化手段であるミスト発生部２３でミスト化するミスト生成器６である。
【００４８】
すなわち、タンク２１に蓄えられた水道水Ｗは、フィルタ２９を通ってＭｇやＣａなどのミネラル分や不純物を取り除かれ、ミスト液供給部２２より電極部３０に供給される。電解用電源３１に接続された電極部３０では電気分解により次亜塩素酸を含む電解水が生成され、超音波方式のミスト発生部２３により次亜塩素酸を含んだミストｍが生成されて、ファン２４によりミスト供給部２５に誘導され、ミスト供給部２５から図１，図４に示したミスト用ダクト７を通って収容部２に供給される。
【００４９】
この図７の実施形態では、ミスト液を水道水Ｗを電気分解して作るので、液の入手が容易であり、また、フィルタ２９でミネラル分や不純物を除去することにより、電極部３０やミスト発生部２３にスケール（水垢）などが付着するのを防止することができる。また、ミスト生成器６内での水の腐食や雑菌の繁殖を抑えることができる。
【００５０】
本願発明の各実施形態の説明は以上の通りであるが、本願発明は上述の実施形態に限定されるものではなく、これらの他にも、特許請求の範囲で記載されている技術的事項の範囲内で、種々の変更を施すことができる。
【図面の簡単な説明】
【００５１】
【図１】本願発明による衣類浄化装置の一実施形態を示す概略構成図。
【図２】ミスト生成器に設けられたミスト設定部の構成図。
【図３】衣類の汚れ具合とミスト噴霧時間の対応関係を示す図。
【図４】本願発明による衣類浄化装置の他の実施形態を示す概略構成図。
【図５】ミスト生成器の実施形態を示す概略断面図。
【図６】ミスト生成器の他の実施形態を示す概略断面図。
【図７】ミスト生成器の更に他の実施形態を示す概略断面図。
【符号の説明】
【００５２】
１  衣類
２  収容部
３  ハンガー部
４  吊り棒
５  ハンガー
６  ミスト生成器
６ａ  ミスト設定部
７  ミスト用ダクト
７ａ  噴霧口
８  ミスト発生装置
９  衣類浄化装置
１０  筐体
１１  ミスト生成部
１２  仕切板
１３，１４  上下のパイプ
１３ａ  上部ミスト噴霧口
１４ａ  下部ミスト噴霧口
２１  タンク
２２  ミスト液供給部
２３  ミスト発生部
２４  ファン
２５  ミスト供給部
２６  導電性細管
２７  高電圧発生部
２８  対向電極
２９  フィルタ
３０  電極部
３１  電解用電源
ｍ  ミスト
Ｌ  ミスト液
Ｗ  水道水
【図１】
2005198859.tif 000003
【図２】
2005198859.tif 000004
【図３】
2005198859.tif 000005
【図４】
2005198859.tif 000006
【図５】
2005198859.tif 000007
【図６】
2005198859.tif 000008
【図７】
2005198859.tif 000009